(57)【要約】【課題】数十キロ乃至それ以上の重量を有する蓋体であっても、これを納骨用開口が開放された位置及び納骨用開口が閉塞された位置に容易に移動し得る墓を提供する。【解決手段】外柵３の内側に形成された納骨空間４と、外柵３の上面を閉鎖状態に覆う覆板５と、覆板５上に設置された複数段の台石６ａ〜６ｃ及び棹石６ｄからなる墓石６と、納骨空間４に連通するように覆板５に形成された納骨用開口８と、納骨用開口８を挟んで両側に位置する覆板５上に平行に配設された一対の支持部材３１と、一対の支持部材３１上にそれぞれ設けられた一対のローラ式ガイド３２と、ローラ式ガイド３２上に支持部材３１の長手方向に沿って移動可能に載置された蓋体９を備え、この蓋体９により納骨用開口８を開閉可能に閉塞できるように構成した。【選択図】図５
2007247277.tif 000002
【特許請求の範囲】
【請求項１】
基礎上に板状の胴石を平面形状が矩形を呈するように鉛直に配設してなる外柵と、前記外柵の内側に形成された納骨空間と、前記外柵の上面を閉鎖状態に覆う石製の覆板と、前記覆板上に設置された複数段の台石及び棹石からなる墓石と、前記納骨空間に連通するように前記覆板に形成された納骨用開口と、前記納骨用開口を挟んで両側に位置する前記覆板上の箇所に前記台石の側面から離間する方向に延在して平行に配設された石製の一対の支持部材と、前記一対の支持部材上に該支持部材の長手方向に沿ってそれぞれ設けられた一対のローラ式ガイドと、前記一対のローラ式ガイド上に前記支持部材の長手方向に沿って移動可能に載置され前記納骨用開口を開閉可能に閉塞する石製の蓋体とを備えることを特徴とする墓。
【請求項２】
前記蓋体及び前記支持部材に形成されたそれぞれの係合部に係脱可能に係合され前記蓋体を該蓋体が前記納骨用開口を閉塞した位置にロックする石製のロック部材を備えることを特徴とする請求項１記載の墓。
【請求項３】
前記台石と反対の前記支持部材の先端間を石製の連結部材により連結し、前記蓋体の裏面に前記連結部材に係止して前記蓋体が前記納骨用開口を開放する方向に移動する量を規制する突部を設けたことを特徴とする請求項１記載の墓。
【請求項４】
前記蓋体は、前記一対の支持部材の外側面及び前記連結部材の外側面をこれらが外方へ露出しないように覆うカバー部を有することを特徴とする請求項１、２または３の何れか１項に記載の墓。
【請求項５】
前記蓋体上に香炉台が設置され、前記香炉台の背面と対向する前記台石の箇所に該台石の側面から下面方向へ斜めに貫通して前記納骨空間及び前記納骨用開口に通ずる切欠き開口が形成され、前記香炉台の背面に前記切欠き開口を閉塞する凸部を設けたことを特徴とする請求項１記載の墓。
【請求項６】
前記蓋体上に前記香炉台の左右に位置して花立が設置されていることを特徴とする請求項５記載の墓。
【発明の詳細な説明】
【技術分野】
【０００１】
本発明は、基礎上に設置された胴石からなる外柵の内側に納骨空間を設け、外柵の上面を石製の覆板で覆い、覆板上には複数段の台石及び棹石とからなる墓石を配設し、覆板には納骨空間に連通する納骨用開口を設け、この納骨用開口を石製の蓋体により開閉可能に閉塞し得るようにした墓に関するものである。
【背景技術】
【０００２】
胴石の内側に設けられた納骨空間に通じる納骨用開口を蓋体により開閉可能に閉塞できるようにした墓として、例えば特許文献１，２に示すものが知られている。
この種の墓は、地中に打設されたコンクリート製基礎上に平面形状が矩形を呈するように鉛直に設置された胴石からなる外柵と、この外柵の内側に形成された納骨空間と、外柵の上面を閉鎖状態に覆う石製の覆板と、この覆板上に複数段の台石を介して設置された墓石と、墓石の正面と対向する覆板の正面側箇所に納骨空間に連通するように形成された納骨用開口を開閉可能に閉塞する石製の蓋体と、この蓋体上に設置された香炉台および花立と、墓石の左右に位置する覆板上の箇所に設置された左右一対の袖石と、墓石の後面と対向する覆板上の箇所に設置された塔婆立てと、墓石の前面側に位置する基礎の左右箇所に設置された一対の門柱等から構成されている。
【特許文献１】特公平８−６５０５号公報
【特許文献２】特開２００５−８３０４４号公報
【発明の開示】
【発明が解決しようとする課題】
【０００３】
このような従来の墓に用いられる蓋体は、石材を所定の面積と厚さを有する板状に加工することで構成され、この蓋体を覆板上に載せて納骨用開口を閉塞した後、その蓋体上に香炉台及び花立を載置する構成になっているため、納骨空間への納骨に際し、その納骨用開口を開放するには香炉台及び花立を含めた蓋体をそれぞれの設置箇所から納骨に支障のない場所に移動する必要がある。
しかし、香炉台や花立及び蓋体は、石材から構成されている関係上、これら個々の重量は数十キロ乃至それ以上あるため、これらを納骨に邪魔にならない場所、例えば墓所の左右門柱間に設置された敷石上に搬出したり、または、納骨後にこれらを所定の箇所に搬入して設置するには大きな労力と人手を要するとともに多くの時間を要するという問題があった。
【０００４】
本発明は、上記のような従来の問題を解決するためになされたもので、数十キロ乃至それ以上の重量を有する蓋体であっても、これを納骨用開口が開放された位置及び納骨用開口が閉塞された位置に容易に移動することができるとともに、香炉台や花立を含めた蓋体の搬出入作業を不要にした墓を提供することを目的とする。
【課題を解決するための手段】
【０００５】
上記目的を達成するために本発明の墓は、基礎上に板状の胴石を平面形状が矩形を呈するように鉛直に配設してなる外柵と、前記外柵の内側に形成された納骨空間と、前記外柵の上面を閉鎖状態に覆う石製の覆板と、前記覆板上に設置された複数段の台石及び棹石からなる墓石と、前記納骨空間に連通するように前記覆板に形成された納骨用開口と、前記納骨用開口を挟んで両側に位置する前記覆板上の箇所に前記台石の側面から離間する方向に延在して平行に配設された石製の一対の支持部材と、前記一対の支持部材上に該支持部材の長手方向に沿ってそれぞれ設けられた一対のローラ式ガイドと、前記一対のローラ式ガイド上に前記支持部材の長手方向に沿って移動可能に載置され前記納骨用開口を開閉可能に閉塞する石製の蓋体とを備えることを特徴とする。
【０００６】
請求項２の発明は、請求項１記載の墓において、前記蓋体及び前記支持部材に形成されたそれぞれの係合部に係脱可能に係合され前記蓋体を該蓋体が前記納骨用開口を閉塞した位置にロックする石製のロック部材を備えることを特徴とする。
【０００７】
請求項３の発明は、請求項１記載の墓において、前記台石と反対の前記支持部材の先端間を石製の連結部材により連結し、前記蓋体の裏面に前記連結部材に係止して前記蓋体が前記納骨用開口を開放する方向に移動する量を規制する突部を設けたことを特徴とする。
【０００８】
請求項４の発明は、請求項１、２または３の何れか１項に記載の墓において、前記蓋体は、前記一対の支持部材の外側面及び前記連結部材の外側面をこれらが外方へ露出しないように覆うカバー部を有することを特徴とする。
【０００９】
請求項５の発明は、請求項１記載の墓において、前記蓋体上に香炉台が設置され、前記香炉台の背面と対向する前記台石の箇所に該台石の側面から下面方向へ斜めに貫通して前記納骨空間及び前記納骨用開口に通ずる切欠き開口が形成され、前記香炉台の背面に前記切欠き開口を閉塞する凸部を設けたことを特徴とする。
請求項６の発明は、請求項５記載の墓において、前記蓋体上に前記香炉台の左右に位置して花立が設置されていることを特徴とする。
【発明の効果】
【００１０】
本発明の墓によれば、覆板上に配設した一対の支持部材上にローラ式ガイドを介して蓋体を支持部材の長手方向に沿い移動可能に、かつ納骨用開口が開閉可能に閉塞されるように設けたので、数十キロ乃至それ以上の重量を有する蓋体であっても、これを納骨用開口が開放された位置及び納骨用開口が閉塞された位置に容易に移動することができるとともに、香炉台や花立を含めた蓋体の搬出入作業を不要にできる。
【００１１】
また、本発明によれば、蓋体の係合部と支持部材の係合部にロック部材を係合して蓋体を納骨用開口の閉塞位置にロックするようにしたので、蓋体がみだりに移動するのを防止できる。
また、本発明によれば、蓋体の裏面に設けた突部を支持部材の連結部材に係止して蓋体の開放方向への移動量を規制するようにしたので、蓋体が支持部材上からみだりに離脱するのを防止できる。
【００１２】
また、本発明によれば、蓋体上に設置された香炉台の背面と対向する台石の箇所に台石の側面から下面方向へ斜めに貫通して納骨空間及び納骨用開口に通ずる切欠き開口を形成したので、蓋体が開かれた位置に移動された状態では香炉台の凸部が切欠き開口を開放することになり、これにより、納骨用開口が拡大され、納骨空間への納骨を容易にできるとともに、蓋体が閉じられた位置に移動された場合には香炉台の凸部により切欠き開口を閉塞できる。
【発明を実施するための最良の形態】
【００１３】
以下、本発明にかかる墓の実施の形態について図面を参照して説明する。なお、本発明にかかる墓は、以下に説明する実施の形態に限定されるものではない。
【００１４】
（実施の形態１）
図１は本実施の形態における墓の組み立て完成の状態を示す全体の斜視図、図２は本実施の形態における墓の外柵の詳細な構成を示す平面図、図３は本実施の形態における墓の外柵用蓋体及び蓋体上に設置される台石の説明用斜視図、図４は本実施の形態における墓の外柵用蓋体を支持部材及びローラ式ガイドに沿って開いた状態を示す斜視図、図５は図４の５−５線に沿う断面図、図６は本実施の形態における蓋体の支持部材及びローラ式ガイドとロック部材の斜視図、図７は本実施の形態における蓋体を裏面側から見た斜視図である。
【００１５】
本実施の形態における墓は、図１に示すように、地中に打設されたコンクリート製基礎２上に平面形状が矩形を呈するように鉛直に配設された４枚の板状胴石３ａ〜３ｄ（図２参照）からなる外柵３と、この外柵３の内側に形成された納骨空間４と、外柵３の上面を閉鎖状態に覆う石製の覆板５と、この覆板５上に設置された大きさの異なる３段の台石６ａ〜６ｃ及び最上段の台石６ｃ上に載置された棹石６ｄとからなる墓石６と、墓石６の正面と対向する覆板５の正面側箇所に納骨空間に連通するように形成された納骨用開口８（図２及び図３参照）を開閉可能に閉塞する石製の蓋体９と、この蓋体９上にホゾ結合などにより設置された香炉台１０及び一対の花立１１と、墓石６の左右に位置する覆板５上の箇所に図示省略の結合金具により固定された左右一対の袖石１２と、墓石６の後面と対向する覆板５上の箇所に図示省略の結合金具により固定された塔婆立て１３と、この塔婆立て１３の左右両側に位置する覆板５上の箇所に図示省略の結合金具により固定された左右一対の石製の屏風１４と、墓石６の前面側に位置する基礎２の左右箇所に鉛直に設置された一対の門柱１５と、この一対の門柱１５の間に位置して基礎２上に配設された敷石１６と、墓石６の左側に位置する覆板５上の箇所に図示省略の結合金具により鉛直に固定された墓碑１７等を備える。
【００１６】
前記外柵３は、図２に示すように、４枚の板状胴石３ａ〜３ｄを平面形状が矩形を呈するように前後左右に配置することにより構成される。また、納骨空間４は、前後の胴石３ａと３ｂとの間の基礎２上に左右方向に所定の間隔を離して差し渡し状態に、かつ鉛直に配設した一対の石製の区画板４ａ，４ｂにより区画することで構成される。そして、納骨空間４の底部はコンクリートで覆われることなく地盤に連通された状態に構築され、さらに、その底部表面は所定厚さの砂により覆われている。
また、前後左右に位置する胴石３ａ〜３ｄ同士の接合部はＬ字金具２１及び鎹２２により強固に結合され、さらに、胴石３ａ〜３ｄの下端はＬ字金具２３により基礎２に結合されている。また、前後の胴石３ａ及び２ｂには、納骨空間４に連通する通気孔２４がそれぞれ設けられている。
【００１７】
前記覆板５は、図２及び図３に示すように、前覆板部５ａ、後覆板部５ｂ、左覆板部５ｃ、及び右覆板部５ｄを備え、この覆板部５ａ〜５ｄは前後左右に位置して同一平面内に平板状に配置され、そして、前覆板部５ａ及び後覆板部５ｂと左覆板部５ｃ及び右覆板部５ｄとの互いの接合部は鎹２５により結合され一体化されている。また、納骨用開口８は覆板５の前覆板部５ａ寄りに位置して左覆板５ｃと右覆板５ｄに切欠き５ｃ１，５ｄ１を設けることにより形成され、この納骨用開口８内に位置する前覆板部５ａと左覆板部５ｃ及び右覆板部５ｄとの接合箇所はＬ字金具２６により結合されている。また、最下段の台石６ａが設置される覆板５の箇所には、台石６ａの下面に突設した四角状のホゾ６ａ１が係合されるホゾ穴５ｅが形成され、このホゾ穴５ｅの四隅部分には、ホゾ穴５ｅとホゾ６ａ１との間の衝撃を吸収する衝撃吸収部材２７が設けられている。また、ホゾ穴５ｅ内に位置する後覆板部５ｂと左覆板部５ｃ及び右覆板部５ｄとの接合箇所はＬ字金具２８により結合されている。なお、納骨用開口８はホゾ穴５ｅに連通されている。
【００１８】
前記蓋体９は、図４及び図５に示すように、覆板５上に配設した一対の支持部材３１上にローラ式ガイド３２を介して移動可能に支持されている。
一対の支持部材３１は、図３〜図６に示すように、納骨用開口８を挟んで左右両側に位置する覆板５上の箇所に最下段の台石６ａの前側面から前覆板部５ａの方向に直角に延在して平行に配設され、この両支持部材３１の延長側の先端間は石製の連結部材３１ａにより連結されている。また、ローラ式ガイド３２は、それぞれの支持部材３１上に支持部材３１の長手方向に沿って配設され、このローラ式ガイド３２上に蓋体９が支持部材３１の長手方向に沿って移動可能に載置され、納骨用開口８を開閉できるようになっている。
【００１９】
ローラ式ガイド３２は、図６に示すように、蓋体９の移動量に応じた長さを有するステンレス製の一対の板材３２ａと、一対の板材３２ａを所定間隔離して平行にかつ一体に結合する複数の結合部材３２ｂと、一対の板材３２ａ間に回転可能に設けた複数の搬送用ローラ３２ｃとから構成されている。
【００２０】
また、図７に示すように、一対の支持部材３１の外側面及び連結部材３１ａの外側面と対向する蓋体９の縁部箇所には、これら外側面をこれらが外方へ露出しないように別々に覆うカバー部９ａ，９ｂ及び９ｃが蓋体９の縁部に沿って形成され、さらに、蓋体９の裏面には、蓋体９が納骨用開口８を開放する位置に移動された時に支持部材３１の連結部材３１ａに係止して蓋体９の開放方向への移動量を規制する突部９dが設けられている。
また、一対の支持部材３１の長手方向のほぼ中間に位置する外側面の箇所には、図６に示すように、凹状に切り欠いてなる係合部３１b，３１cがそれぞれ形成され、さらに、蓋体９におけるカバー部９ａ，９ｂの長手方向のほぼ中間に位置する箇所には、図４及ぶ図７に示すように、凹状に切り欠いてなる係合部９ｅ，９ｆがそれぞれ形成されている。
また、蓋体９が納骨用開口８を閉塞した状態にある時、蓋体９の係合部９ｅと支持部材３１の係合部３１bに係脱可能に係合される石製のロック部材３３ａと、蓋体９の係合部９ｆと支持部材３１の係合部３１ｃに係脱可能に係合される立方体を呈する石製のロック部材３３ｂを備えている。
【００２１】
前記香炉台１０の背面と対向する最下段の台石６ａの前面箇所には、図３〜図５に示すように、台石６ａの前面から下面方向へ斜めに貫通して納骨空間４及び納骨用開口８に通ずる切欠き開口６ａ２が形成されている。また、香炉台１０の背面には切欠き開口６ａ２を閉塞する凸部１０ａが設けられている。
【００２２】
このように構成された本実施の形態に示す墓への納骨に際しては、蓋体９の係合部９ｅと支持部材３１の係合部３１bに係合されているロック部材３３ａ、及び蓋体９の係合部９ｆと支持部材３１の係合部３１ｃに係合されているロック部材３３ｂをこれらの係合部から図４に示すように抜き取り、蓋体９のロックを解除する。この状態で、香炉台１０及び花立１１が載置されたままの蓋体９を図４の矢印Ａ１の方向に引っ張ることにより同一方向に移動させる。この場合、蓋体９はローラ式ガイド３２上に載置されているため、蓋体９を矢印Ａ方向へ引っ張るだけの力のみで簡単に移動することができる。そして、蓋体９の突部９ｄが支持部材３１の連結部材３１ａに係止される位置まで移動されると、蓋体９は図４及び図５に示す状態に引き出されるとともに、納骨用開口８及び台石６ａの切欠き開口６ａ２が開放される。これにより、図５に示すように互いに離間された香炉台１０の背面と台石６ａの前側面との間（両者間の間隔は約２４ｃｍである）から納骨用開口８及び切欠き開口６ａ２通して納骨することができる。
【００２３】
一方、納骨後に蓋体９を閉鎖する場合は、図４に示す状態にある蓋体９は、矢印Ａ２の方向に押し込む。これにより、香炉台１０及び花立１１を含めた蓋体９はローラ式ガイド３２上を矢印Ａ２の方向に移動され、そして、香炉台１０の背面が台石６ａの前側面に当接された段階になると、納骨用開口８は蓋体９によって閉塞されると同時に、香炉台１０の凸部１０ａが台石６ａの切欠き開口６ａ２を閉塞する。その後、ロック部材３３ａを蓋体９の係合部９ｅと支持部材３１の係合部３１ｂに係合し、さらにロック部材３３ｂを蓋体９の係合部９ｆと支持部材３１の係合部３１ｃに係合して、蓋体９を覆板５にロックする。
【００２４】
このような本実施の形態に示す墓によれば、覆板５上に配設した一対の支持部材３１上にローラ式ガイド３２を介して蓋体９を支持部材３１の長手方向に沿い移動可能に、かつ納骨用開口８が開閉可能に閉塞されるように設けたので、数十キロ乃至それ以上の重量を有する蓋体であっても、これを納骨用開口８が開放された位置及び納骨用開口８が閉塞された位置に容易、かつ簡便に移動することができるとともに、香炉台１０や花立１１を含めた蓋体９の搬出入作業が不要になり、これに伴い、納骨時の人的労力と人手及び時間を大幅に軽減することができる。
【００２５】
また、本実施の形態によれば、蓋体９の係合部９ｅ，９ｆと支持部材３１の係合部３１ｂ，３１ｃにロック部材３３ａ，３３ｂをそれぞれ係合して蓋体９を納骨用開口８の閉塞位置にロックするようにしたので、蓋体９がみだりに移動するのを防止できる。
また、本実施の形態によれば、蓋体９の裏面に設けた突部９ｄを支持部材３１の連結部材３１ａに係止して蓋体９の開放方向への移動量を規制するようにしたので、蓋体９が支持部材３１上からみだりに離脱するのを防止できる。
【００２６】
また、本実施の形態によれば、蓋体９上に設置された香炉台１０の背面と対向する台石６ａの箇所に台石６ａの前側面から下面方向へ斜めに貫通して納骨空間４及び納骨用開口８に通ずる切欠き開口６ａ２を形成したので、蓋体９が開かれた位置に移動された状態では、香炉台１０の背面に設けた凸部１０ａが切欠き開口６ａ２を開放することになり、これにより、納骨用開口８が拡大され、納骨空間４への納骨を容易にできるとともに、蓋体９が閉じられた位置に移動された場合には、香炉台１０の凸部１０ａにより切欠き開口６ａ２を閉塞することができる。
【図面の簡単な説明】
【００２７】
【図１】本実施の形態における墓の組み立て完成の状態を示す全体の斜視図である。
【図２】本実施の形態における墓の外柵の詳細な構成を示す平面図である。
【図３】本実施の形態における墓の外柵用蓋体及び蓋体上に設置される台石の説明用斜視図である。
【図４】本実施の形態における墓の外柵用蓋体を支持部材及びローラ式ガイドに沿って開いた状態を示す斜視図である。
【図５】図４の５−５線に沿う断面図である。
【図６】本実施の形態における蓋体の支持部材及びローラ式ガイドとロック部材の斜視図である。
【図７】本実施の形態における蓋体を裏面側から見た斜視図である。
【符号の説明】
【００２８】
２      基礎
３      外柵
３ａ〜３ｄ    胴石
４      納骨空間
５      覆板
６      墓石
６ａ〜６ｃ    台石
６ｄ    棹石
６ａ２  切欠き開口
８      納骨用開口
９      蓋体
９ａ，９ｂ，９ｃ    カバー部
９ｄ    突部
９ｅ，９ｆ    係合部
１０    香炉台
１０ａ  凸部
１１    花立
１２    袖石
１３    塔婆立て
１４    屏風
１５    門柱
１６    敷石
１７    墓碑
３１    支持部材
３１ａ  連結部材
３１b，３１c    係合部
３２    ローラ式ガイド
３３ａ，３３ａ    ロック部材
【図１】
2007247277.tif 000003
【図２】
2007247277.tif 000004
【図３】
2007247277.tif 000005
【図４】
2007247277.tif 000006
【図５】
2007247277.tif 000007
【図６】
2007247277.tif 000008
【図７】
2007247277.tif 000009